(57)【要約】      （修正有）【課題】駆動切替機構によって複数の被駆動部の駆動を切り替えるときの装置サイズの小型化を図る。【解決手段】複数の送液ポンプ、吸引ポンプ４６、大気開放駆動ピン部材３０２に選択的に伝達する駆動切替機構４００を有し、搬送方向下流側から送液ポンプ、駆動切替機構４００、維持回復機構４１、大気開放駆動ピン部材３０２の順に配置されて、駆動切替機構４００と吸引ポンプ４６とはキャップを挟んで反対側に配置され、大気開放駆動ピン部材３０２は最も駆動力伝達経路が長い位置に配置されている。【選択図】図１６
2013136230.tif 000002
【特許請求の範囲】
【請求項１】
（両出願の配置関係をまとめたクレームを第１クレームにします：新規）
異なる種類の液滴を吐出する記録ヘッドと、
前記記録ヘッドに液体を供給する複数のヘッドタンクと、
前記記録ヘッドに供給する液体を収容する交換可能な複数のメインタンクと、
各メインタンクから前記ヘッドタンクに前記液体を送液し、前記ヘッドタンクから前記メインタンクに前記液体を逆送する複数の送液ポンプと、
前記記録ヘッドに対して進退可能に配置されたキャップ及び前記キャップに接続された吸引手段を含み、前記記録ヘッドの状態の維持回復を行う維持回復機構と、
前記ヘッドタンクの内部を大気に開放する開閉可能な大気開放機構を開く大気開放駆動手段と、
第１の駆動源と、
前記第１の駆動源の駆動力を、前記複数の送液ポンプ、前記維持回復機構の吸引手段、前記大気開放駆動手段に対して選択的に伝達する駆動切替機構と、を備え、
前記駆動切替機構から前記第１駆動源の駆動力が伝達される前記複数の送液ポンプ、前記維持回復機構の吸引手段及び前記大気開放駆動手段のうち、前記大気開放駆動手段が最も駆動力伝達経路が長い位置に配置され、
前記記録ヘッドで画像を形成する被記録媒体の搬送方向に沿う方向で、搬送方向下流側から前記送液ポンプ、前記駆動切替機構及び維持回復機構の順に配置され、
前記維持回復機構の吸引手段と前記駆動切替機構とは、前記被記録媒体の搬送方向に沿う方向で、前記維持回復機構のキャップを挟んで反対側に配置されている
ことを特徴とする画像形成装置。
【請求項２】
異なる種類の液滴を吐出する記録ヘッドと、
前記記録ヘッドに液体を供給する複数のヘッドタンクと、
前記記録ヘッドに供給する液体を収容する交換可能な複数のメインタンクと、
各メインタンクから前記ヘッドタンクに前記液体を送液し、前記ヘッドタンクから前記メインタンクに前記液体を逆送する複数の送液ポンプと、
前記記録ヘッドに対して進退可能に配置されたキャップ及び前記キャップに接続された吸引手段を含み、前記記録ヘッドの状態の維持回復を行う維持回復機構と、
前記ヘッドタンクの内部を大気に開放する開閉可能な大気開放機構を開く大気開放駆動手段と、
第１の駆動源と、
前記第１の駆動源の駆動力を、前記複数の送液ポンプ、前記維持回復機構の吸引手段、前記大気開放駆動手段に対して選択的に伝達する駆動切替機構と、を備え、
前記駆動切替機構から前記第１駆動源の駆動力が伝達される前記複数の送液ポンプ、前記維持回復機構の吸引手段及び前記大気開放駆動手段のうち、前記大気開放駆動手段が最も駆動力伝達経路が長い位置に配置されている
ことを特徴とする画像形成装置。
【請求項３】
前記駆動切替機構は、
第２駆動源と、
前記第２駆動源で回転されるカムと、
前記カムの回転に連動してスラスト方向に移動されるスライダ部材と、
前記第１駆動源の駆動力が伝達され、前記スライダ部材によって、前記複数の送液ポンプ、前記吸引手段の駆動ギヤと噛み合う位置と離間する位置との間で移動される切替ギヤと、を有し、
前記切替ギヤが移動することで、前記複数の送液ポンプ、前記吸引手段に選択的に前記第１駆動源の駆動力が伝達される
ことを特徴とする請求項１又は２に記載の画像形成装置。
【請求項４】
前記大気開放駆動手段及び前記大気開放機構の少なくともいずれかには、前記大気開放機構が開放されたときに、当該大気開放状態を次に駆動力が伝達されるまでの間保持する手段を備えていることを特徴とする請求項１に記載の画像形成装置。
【請求項５】
前記駆動切替機構から前記大気開放駆動手段への駆動力伝達経路はリンク機構が配置されていることを特徴とする請求項２ないし４のいずれかに記載の画像形成装置。
【請求項６】
異なる種類の液滴を吐出する記録ヘッドと、
前記記録ヘッドに液体を供給する複数のヘッドタンクと、
前記記録ヘッドに供給する液体を収容する交換可能な複数のメインタンクと、
各メインタンクから前記ヘッドタンクに前記液体を送液し、前記ヘッドタンクから前記メインタンクに前記液体を逆送する複数の送液ポンプと、
前記記録ヘッドに対して進退可能に配置されたキャップ及び前記キャップに接続された吸引手段を含み、前記記録ヘッドの状態の維持回復を行う維持回復機構と、
第１の駆動源と、
前記第１の駆動源の駆動力を、前記複数の送液ポンプ、前記維持回復機構の吸引手段に対して選択的に伝達する駆動切替機構と、を備え、
前記記録ヘッドで画像を形成する被記録媒体の搬送方向に沿う方向で、搬送方向下流側から前記送液ポンプ、前記駆動切替機構及び維持回復機構の順に配置され、
前記維持回復機構の吸引手段と前記駆動切替機構とは、前記被記録媒体の搬送方向に沿う方向で、前記維持回復機構のキャップを挟んで反対側に配置されている
ことを特徴とする画像形成装置。
【請求項７】
前記駆動切替機構は、
第２駆動源と、
前記第２駆動源で回転されるカムと、
前記カムの回転に連動してスラスト方向に移動されるスライダ部材と、
前記第１駆動源の駆動力が伝達され、前記スライダ部材によって、前記複数の送液ポンプ、前記吸引手段の駆動ギヤと噛み合う位置と離間する位置との間で移動される切替ギヤと、を有し、
前記切替ギヤが移動することで、前記複数の送液ポンプ、前記吸引手段に選択的に前記第１駆動源の駆動力が伝達される
ことを特徴とする請求項６に記載の画像形成装置。
【請求項８】
前記駆動切替機構側の前記吸引手段に駆動力を伝達する最終段のギヤと、前記維持回復機構の前記吸引手段側の前記駆動切替機構側の最終段のギヤと噛み合うギヤとの間のピッチを規制するギヤピッチ規制手段を備えていることを特徴とする請求項７に記載の画像形成装置。
【請求項９】
前記ギヤピッチ規制部材は、前記維持回復機構のフレームに対して揺れ動くことが可能に設けられ、
前記維持回復機構を前記駆動切替機構に対して位置合わせをしたときに、前記ギヤピッチ規制部材の揺れ動きが規制され、前記ギヤピッチ規制部材が前記維持回復機構のフレームに対して固定される
ことを特徴とする請求項８に記載の維持回復装置。
【請求項１０】
前記ヘッドタンクは内部を大気に開放する開閉可能な大気開放機構を有し、
装置本体側には前記大気開放機構を駆動する大気開放駆動手段が設けられ、
前記駆動切替機構は、前記第１駆動源の駆動力が伝達され、前記スライダ部材によって前記大気開放駆動手段の駆動ギヤと噛み合う位置と離間する位置との間で移動される切替ギヤを有している
ことを特徴とする請求項６又は７に記載の画像形成装置。
【発明の詳細な説明】
【技術分野】
【０００１】
本発明は画像形成装置に関し、特に液滴を吐出する記録ヘッドを備える画像形成装置に関する。
【背景技術】
【０００２】
プリンタ、ファクシミリ、複写装置、プロッタ、これらの複合機等の画像形成装置として、例えば液滴を吐出する液体吐出ヘッド（液滴吐出ヘッド）からなる記録ヘッドを用いた液体吐出記録方式の画像形成装置としてのインクジェット記録装置が知られている。
【０００３】
このような画像形成装置としては、例えば、異なる色の液滴を吐出する記録ヘッドに供給するインクを収容する交換可能な複数のメインタンク（インクカートリッジ）と、メインタンクから各色の液体が供給され、記録ヘッドのインクを供給する各色の複数のヘッドタンクを備えたものがある。
【０００４】
また、記録ヘッドの性能を維持及び回復する維持回復機構を有している。維持回復機構は、通常、記録ヘッドのノズル面をキャッピングする吸引キャップ及び吸引キャップに接続された吸引ポンプを有している。
【０００５】
さらに、ヘッドタンクとして内部を大気に開放する開閉可能な大気開放機構を備え、大気開放機構を装置本体側の大気開放駆動手段によって駆動するものがある。
【０００６】
ところで、複数の送液ポンプや吸引ポンプ、大気開放駆動手段を駆動するとき、各ポンプなどの被駆動部毎に駆動源として駆動モータを設けるのでは、装置が大型化し、コストが高くなる。
【０００７】
そこで、従来、選択駆動機構の回転動力によって第１方向及び第２方向に回転される太陽歯車と、太陽歯車の回転に応じて太陽歯車の周りを公転し、且つ、公転が規制された状態では、太陽歯車の回転に応じて自転する遊星歯車と、太陽歯車の第１方向回転に応じて遊星歯車が公転する際、遊星歯車に順次噛み合うように遊星歯車の公転軌跡に沿って配置されたポンプ駆動歯車と、太陽歯車の第２方向回転に応じた遊星歯車の公転を、ポンプ駆動歯車との噛み合い位置で規制する公転規制手段とを備え、単一の駆動源によって３以上のポンプを選択的に駆動させるものが知られている。
【先行技術文献】
【特許文献】
【０００８】
【特許文献１】特許第４０１９６９４号公報
【発明の開示】
【発明が解決しようとする課題】
【０００９】
ところで、上述した複数の送液ポンプや吸引ポンプ、大気開放駆動手段などの複数の被駆動部を単一の駆動源の駆動力を切り替えて伝達する駆動切替機構を備える場合、これらの送液ポンプ、吸引ポンプを含む維持回復機構、大気開放駆動手段、駆動切替機構などを限られた装置本体内のスペースに配置しなければ装置本体が大型化するという課題がある。
【００１０】
本発明は上記の課題に鑑みてなされたものであり、装置サイズの小型化を図ることができるようにすることを目的とする。
【課題を解決するための手段】
【００１１】
上記の課題を解決するため、本発明に係る画像形成装置は、
異なる種類の液滴を吐出する記録ヘッドと、
前記記録ヘッドに液体を供給する複数のヘッドタンクと、
前記記録ヘッドに供給する液体を収容する交換可能な複数のメインタンクと、
各メインタンクから前記ヘッドタンクに前記液体を送液し、前記ヘッドタンクから前記メインタンクに前記液体を逆送する複数の送液ポンプと、
前記記録ヘッドに対して進退可能に配置されたキャップ及び前記キャップに接続された吸引手段を含み、前記記録ヘッドの状態の維持回復を行う維持回復機構と、
前記ヘッドタンクの内部を大気に開放する開閉可能な大気開放機構を開く大気開放駆動手段と、
第１の駆動源と、
前記第１の駆動源の駆動力を、前記複数の送液ポンプ、前記維持回復機構の吸引手段、前記大気開放駆動手段に対して選択的に伝達する駆動切替機構と、を備え、
前記駆動切替機構から前記第１駆動源の駆動力が伝達される前記複数の送液ポンプ、前記維持回復機構の吸引手段及び前記大気開放駆動手段のうち、前記大気開放駆動手段が最も駆動力伝達経路が長い位置に配置され、
前記記録ヘッドで画像を形成する被記録媒体の搬送方向に沿う方向で、搬送方向下流側から前記送液ポンプ、前記駆動切替機構及び維持回復機構の順に配置され、
前記維持回復機構の吸引手段と前記駆動切替機構とは、前記被記録媒体の搬送方向に沿う方向で、前記維持回復機構のキャップを挟んで反対側に配置されている
構成とした。
【発明の効果】
【００１２】
本発明によれば、装置サイズの小型化を図ることができる。
【図面の簡単な説明】
【００１３】
【図１】本発明に係る画像形成装置の一例の外観斜視説明図である。
【図２】同装置の機構部の斜視説明図である。
【図３】同機構部の要部平面説明図である。
【図４】同機構部のキャリッジ部分の側面説明図である。
【図５】ヘッドタンクの一例を示す模式的平面説明図である。
【図６】同じく図５の模式的正面説明図である。
【図７】同装置における供給排出系の説明に供する模式的説明図である。
【図８】同実施形態の送液ポンプを構成するチューブポンプの一例を説明する模式的説明図である。
【図９】同実施形態の吸引ポンプを構成するチューブポンプの一例を説明する逆転時の模式的説明図である。
【図１０】同じく正転時の説明図である。
【図１１】同装置の制御部を説明するブロック説明図である。
【図１２】駆動切替機構の一例の説明に供する模式的説明図である。
【図１３】同駆動切替機構の具体的構成の斜視説明図である。
【図１４】同じくカム部分を取り外した斜視説明図である。
【図１５】カムとスライダ部材の斜視説明図である。
【図１６】駆動切替機構と送液ポンプ、維持回復機構及び大気開放駆動機構（手段）の配置の説明に供する機構部の概略側面説明図である。
【図１７】同じく維持回復機構を除いた概略側面説明図である。
【図１８】同じく駆動切替機構及び維持回復機構のカバー部分を除いた側面説明図である。
【図１９】カートリッジホルダ、送液ポンプユニット及び駆動切替機構部分の斜視説明図である。
【図２０】維持回復機構の斜視説明図である。
【図２１】図２０を裏側から見た要部斜視説明図である。
【図２２】維持回復機構の側面説明図である。
【図２３】維持回復機構の吸引ポンプ回りの要部斜視説明図である。
【図２４】維持回復機構の要部側面説明図である。
【図２５】同じくギヤピッチ規制部材回りの側面説明図である。
【図２６】同じく斜視説明図である。
【図２７】同じく模式的平面説明図である。
【図２８】大気開放用の駆動力伝達機構の詳細な説明に供する機構部の要部側面説明図である。
【図２９】同大気開放用の駆動力伝達機構を説明する説明図である。
【図３０】切替機構、送液ポンプ、維持回復機構、大気開放駆動手段の配置のまとめの説明に供する模式的外観斜視説明図である。
【図３１】同じく駆動切替機構回りの模式的説明図である。
【発明を実施するための形態】
【００１４】
以下、本発明の実施の形態について添付図面を参照して説明する。本発明に係る画像形成装置の一例について図１ないし図４を参照して説明する。図１は同画像形成装置の外観斜視説明図、図２は同装置の機構部の斜視説明図、図３は同機構部の要部平面説明図、図４は同機構部のキャリッジ部分の側面説明図である。
【００１５】
この画像形成装置は、シリアル型画像形成装置であり、装置本体１０００の上面側に開閉可能にカバー１００１が設けられ、このカバー１００１を開くことで内部の機構部にアクセスすることができる。
【００１６】
機構部は、図２及び図３に示すように、左右の側板１Ａ、１Ｂに架け渡した案内部材である板状部材からなるガイド部材３にてキャリッジ４を主走査方向に移動可能に支持し、主走査モータ５によって駆動プーリ６と従動プーリ７との間に張った状態で掛け回されたタイミングベルト８を介してキャリッジ４を主走査方向に移動走査する。
【００１７】
ここで、図４に示すように、キャリッジ４の移動を案内するガイド部材３は、板状部材からなり、キャリッジ４を移動自在に案内するための支持面となるガイド面３ａとガイド面３ｂ、３ｃとを有している。
【００１８】
そして、キャリッジ４には、ガイド部材３のガイド面３ａに移動自在に支持される高さ調整部４ａと、ガイド面３ｂに移動自在に接触する接触部４ｂと、ガイド面３ｃに移動自在に接触する接触部４ｃとを有する所謂ロッドレスタイプの案内機構としている。
【００１９】
また、キャリッジ４には、イエロー（Ｙ）、シアン（Ｃ）、マゼンタ（Ｍ）、ブラック（Ｋ）の各色の液滴を吐出する画像形成手段としての液体吐出ヘッからなる記録ヘッド１１ａ、１１ｂ（区別しないときは、「記録ヘッド１１」という。以下、同様）を複数のノズルからなるノズル列を主走査方向と直交する副走査方向に配列し、滴吐出方向を下方に向けて装着している。
【００２０】
記録ヘッド１１はそれぞれ２列のノズル列を有し、４つのノズル列にそれぞれＹ、Ｍ、Ｃ、Ｋの各色の液滴を吐出するように割り当てている。
【００２１】
記録ヘッド１１ａ、１１ｂにはこの記録ヘッド１１にインクを供給するヘッドタンク１２ａ、１２ｂが一体的に設けられている。一方、装置本体側には、カートリッジホルダ６１に液体カートリッジ（メインタンク、以下「インクカートリッジ」という。）６２が交換可能に着脱され、インクカートリッジ６２から送液ポンプユニット（送液ポンプ部ともいう。）６３によって供給チューブ６４を介してヘッドタンク１２にインク（液体）を供給する。
【００２２】
また、キャリッジ４の主走査方向に沿ってエンコーダスケール１５を配置し、キャリッジ４側にはエンコーダスケール１５の目盛り（スケール：位置識別部）を読み取る透過型フォトセンサからなるエンコーダセンサ１６を取り付け、これらのエンコーダスケール１５とエンコーダセンサ１６とで位置検出装置としてのリニアエンコーダを構成している。
【００２３】
一方、キャリッジ４の下方側には、用紙１０を副走査方向に搬送する搬送手段としての搬送ベルト２１を配置している。この搬送ベルト２１は、無端状ベルトであり、搬送ローラ２２とテンションローラ２３との間に掛け回されて、副走査モータ３１によってタイミングベルト３２及びタイミングプーリ３３を介して搬送ローラ２２が回転駆動されることによって副走査方向に周回移動される。
【００２４】
搬送ベルト２１の入口部分及び出口部分には、図４に示すように、それぞれ用紙ガイド部材５１、５２が配置されている。
【００２５】
さらに、キャリッジ４の主走査方向の一方側には、搬送ベルト２１の側方に、記録ヘッド１１の維持回復を行う維持回復機構（メンテナンスユニット）４１が配置されている。維持回復機構４１は、例えば記録ヘッド１１のノズル面（ノズルが形成された面）をキャッピングする吸引キャップ４２ａ及び保湿キャップ４２ｂと、ノズル面を払拭するワイパ部材４３と、画像形成に寄与しない液滴を吐出する空吐出受け４４などで構成されている。吸引キャップ４２ａには吸引手段としての吸引ポンプ４６が接続されている。
【００２６】
また、図１に示すように、用紙を搬送ベルト２１に給紙する給紙手段や、画像形成手段としての記録ヘッド１１から吐出された液体が付着して画像が形成された用紙を排紙する排紙手段などを構成する給紙トレイ１００２、排紙トレイ１００３が装置本体１０００に対して着脱自在に装着される。
【００２７】
このように構成したこの画像形成装置においては、給紙された用紙を搬送ベルト２１で間歇的に搬送し、キャリッジ４を主走査方向に移動させながら画像信号に応じて記録ヘッド１１を駆動することにより、停止している用紙に液滴を吐出して１行分を記録し、用紙を所定量搬送後、次の行の記録を行なう動作を繰り返して用紙上に画像を形成し、画像形成後用紙を排紙する。
【００２８】
また、記録ヘッド１１のノズルの状態の維持回復を行うときには、キャリッジ４をホーム位置である維持回復機構４１に対向する位置に移動して、吸引キャップ４２ａによるキャッピングを行ってノズルからの吸引を行うノズル吸引、画像形成に寄与しない液滴を吐出する空吐出を吸引キャップ４２ａ或いは空吐出受け４４に行うなどの回復動作を行うことにより、安定した液滴吐出による画像形成を行うことができる。
【００２９】
次に、ヘッドタンク１２の一例について図５及び図６を参照して説明する。図５は同ヘッドタンクの１つのヘッド分の模式的上面説明図、図６は同ヘッドタンクの１つのヘッド分の模式的正面説明図である。
【００３０】
ヘッドタンク１２は、インクを保持するための一側部が開口したインク収容部２０２を形成するタンクケース２０１を有し、このタンクケース２０１の開口部は可撓性フィルム状部材２０３で密閉し、タンクケース２０１内に配置した弾性部材としてのバネ２０４によってフィルム状部材２０３を常時外方へ付勢している。これにより、タンクケース２０１のフィルム状部材２０３がバネ２０４によって外方への付勢力が作用しているので、タンクケース２０１内のインク残量が減少することによって負圧が発生する。
【００３１】
また、タンクケース２０１の外側には、一端部を支軸２０６で揺動可能に支持され、タンクケース２０１側に向けて付勢されている変位部材である検知フィラ２０５がフィルム状部材２０３に接着などで固定されている。
【００３２】
これにより、フィルム状部材２０３の動きに連動して検知フィラ２０５が変位するので、装置本体側に配置された光学センサからなる検知センサ３０１によって検知フィラ２０５の変位量を検知することによりヘッドタンク１２内のインク残量などを検知することができる。
【００３３】
また、タンクケース２０１の上部には、インクカートリッジ６２からインクを供給するための供給口部２０９があり、供給チューブ３６に接続されている。また、タンクケース２０１の側部には、ヘッドタンク１２内を大気に開放する大気開放機構２０７が設けられている。
【００３４】
この大気開放機構２０７は、ヘッドタンク１２内に連通する大気開放路２０７ａを開閉する弁体２０７ｂ及びこの弁体２０７ｂを閉弁状態に付勢するスプリング２０７ｃなどを備えている。
【００３５】
そして、装置本体側の大気開放駆動手段である大気開放駆動ピン部材３０２によって弁体２０７ｂを押すことで開弁されて、ヘッドタンク１２内を大気開放した状態（大気に連通させた状態）になる。
【００３６】
また、ヘッドタンク１２内のインク残量を検出するための電極ピン２０８ａと２０８ｂが取り付けられている。インクは電導性を持っており、電極ピン２０８ａと２０８ｂの所までインクが到達すると、電極ピン２０８ａと２０８ｂ間に電流が流れて両者の抵抗値が変化するため、インク液面高さが所定高さ以下になった、すなわち、ヘッドタンク１２の空気量が所定量以上になった、或いは、ヘッドタンク１２の液体残量が所定量以下になったことを検出することができる。
【００３７】
次に、この画像形成装置のインク供給排出系について図７を参照して説明する。なお、ここでは、図示を簡単にするためインクカートリッジからヘッドタンクまでのインク供給系は１色分のみ図示しているが、各色毎にインク供給系が設けられている。
【００３８】
まず、インクカートリッジ（メインタンク）６２からヘッドタンク１２に対するインク供給は、送液ポンプユニット６３内に各色毎に設けられた送液手段である送液ポンプ６３１によって供給チューブ３６を介して行なわれる。なお、送液ポンプ６３１は、チューブポンプなどで構成した可逆型ポンプであり、インクカートリッジ６２からヘッドタンク１２にインクを供給する送液動作と、ヘッドタンク１２からインクカートリッジ６２にインクを戻す逆送動作とを行なえるようにしている。
【００３９】
また、維持回復機構４１は、前述したように記録ヘッド１１のノズル面をキャッピングする吸引キャップ４２ａと、吸引キャップ４２ａに接続された吸引ポンプ４６を有し、キャップ４２ａでキャッピングした状態で吸引ポンプ４６を駆動することで吸引チューブ４５を介してノズルからインクを吸引することによってヘッドタンク１２内のインクを吸引することができる。
【００４０】
なお、この装置は、装置本体１０００に対して着脱可能な第１廃液タンク７１と装置本体１０００内に固定された第２廃液タンクとを有している。吸引ポンプ４６によって排出される廃インクは第１廃液タンク７１内に排出される。また、空吐出受け４４に排出された廃液は第２廃液タンクに排出される。
【００４１】
また、装置本体側にはヘッドタンク１２の大気開放機構２０７を開閉する大気開放駆動手段（押圧部材）である大気開放駆動ピン部材３０２が配設され、この大気開放駆動ピン部材３０２を作動させることで大気開放機構２０７を開放することができる。さらに、装置本体側にはヘッドタンク１２の検知フィラ２０５を検知する光学センサからなるセンサ３０１が設けられている。
【００４２】
ここで、各色の４個の送液ポンプ６３１、吸引ポンプ４６を含む維持回復機構４１、大気開放駆動ピン部材３０２は、第１駆動源である第１駆動モータ１０１の駆動力が、第２駆動源（切替駆動源ともいう。）である第２駆動モータ１０２によって切替駆動される駆動切替機構４００を介して選択的に伝達され、第１駆動モータ１０１は制御部５００によって駆動制御される。
【００４３】
次に、送液ポンプ６３１として使用しているチューブポンプの一例について図８を参照して説明する。図８は同ポンプの説明に供する説明図である。
【００４４】
チューブポンプ９０１は、チューブ９０２を矢印方向に回転する偏心させた押圧コロ９０３で押し潰すことによってチューブ９０２内の液体を移送することができる。
【００４５】
このチューブポンプ９０１を送液ポンプ６３１に使用するときには、押圧コロ９０３を矢印の両方向に回転させることで、インクカートリッジ６２からヘッドタンク１２への送液、ヘッドタンク１２からインクカートリッジ６２への逆送を行うことができる。
【００４６】
次に、吸引ポンプ４６として使用しているチューブポンプの一例について図９及び図１０を参照して説明する。図９は同ポンプの逆転時の説明に供する説明図、図１０は同ポンプの正転時の説明に供する説明図である。
【００４７】
このチューブポンプ９５１は、チューブ９５２の内周側に、回転部材９５３と、回転部材９５３に形成されたガイド溝９５４に沿って移動可能に設けられた複数のコロ９５５とを有している。そして、回転部材９５３が図８の矢印方向（逆転方向）に回転するときに、複数のコロ９５６が回転部材９５３の外周側に移動してチューブ９５２を扱くことで吸引を行う。また、回転部材９５３が図９の矢印方向（正転方向）に回転するときに、複数のコロ９５６が回転部材９５３の内周側に移動してチューブ９５２から離間し、空転状態になる。
【００４８】
次に、送液ポンプ６３１として使用しているチューブポンプの一例について図１０を参照して説明する。図１０は同ポンプの説明に供する説明図である。
【００４９】
チューブポンプ９０１は、チューブ９０２を矢印方向に回転する偏心させた押圧コロ９０３で押し潰すことによってチューブ９０２内の液体を移送することができる。
【００５０】
このチューブポンプ９０１を送液ポンプ６３１に使用するときには、押圧コロ９０３を矢印の両方向に回転させることで、インクカートリッジ６２からヘッドタンク１２への送液、ヘッドタンク１２からインクカートリッジ６２への逆送を行うことができる。
【００５１】
次に、この画像形成装置の制御部の概要について図１１を参照して説明する。図１１は同制御部のブロック説明図である。
【００５２】
この制御部５００は、本発明における駆動切替機構４００の第１、第２駆動モータ１０１、１０２などの切替駆動制御を行う手段を兼ねた装置全体の制御を司るＣＰＵ５０１と、ＣＰＵ５０１に実行させるプログラム、その他の固定データを格納するＲＯＭ５０２と、画像データ等を一時格納するＲＡＭ５０３と、装置の電源が遮断されている間もデータを保持するための書き換え可能な不揮発性メモリ５０４と、画像データに対する各種信号処理、並び替え等を行う画像処理やその他装置全体を制御するための入出力信号を処理するＡＳＩＣ５０５とを備えている。
【００５３】
また、記録ヘッド１１を駆動制御するためのデータ転送手段、駆動信号発生手段を含む印刷制御部５０８と、キャリッジ４側に設けた記録ヘッド１１を駆動するためのヘッドドライバ（ドライバＩＣ）５０９と、キャリッジ４を移動走査する主走査モータ５５４、搬送ベルト２１を周回移動させる副走査モータ５５５、帯電ローラ５６にＡＣバイアスを供給するＡＣバイアス供給部５１１と、第１駆動モータ１０１及び駆動切替機構４００の第２駆動モータ１０２を駆動するモータ駆動部５１２などを備えている。
【００５４】
また、この制御部５００には、この装置に必要な情報の入力及び表示を行うための操作パネル５１４が接続されている。
【００５５】
この制御部５００は、ホスト側とのデータ、信号の送受を行うためのＩ／Ｆ５０６を持っていて、パーソナルコンピュータ等の情報処理装置、イメージスキャナなどの画像読み取り装置、デジタルカメラなどの撮像装置などのホスト６００側から、ケーブル或いはネットワークを介してＩ／Ｆ５０６で受信する。
【００５６】
そして、制御部５００のＣＰＵ５０１は、Ｉ／Ｆ５０６に含まれる受信バッファ内の印刷データを読み出して解析し、ＡＳＩＣ５０５にて必要な画像処理、データの並び替え処理等を行い、この画像データを印刷制御部５０８からヘッドドライバ５０９に転送する。なお、画像出力するためのドットパターンデータの生成はホスト６００側のプリンタドライバ６０１で行っている。
【００５７】
印刷制御部５０８は、上述した画像データをシリアルデータで転送するとともに、この画像データの転送及び転送の確定などに必要な転送クロックやラッチ信号、制御信号などをヘッドドライバ５０９に出力する以外にも、ＲＯＭに格納されている駆動パルスのパターンデータをＤ／Ａ変換するＤ／Ａ変換器及び電圧増幅器、電流増幅器等で構成される駆動信号生成部を含み、１の駆動パルス或いは複数の駆動パルスで構成される駆動信号をヘッドドライバ５０９に対して出力する。
【００５８】
ヘッドドライバ５０９は、シリアルに入力される記録ヘッド１１の１行分に相当する画像データに基づいて印刷制御部５０８から与えられる駆動信号を構成する駆動パルスを選択的に記録ヘッド１１の液滴を吐出させるエネルギーを発生する駆動素子（例えば圧電素子）に対して印加することで記録ヘッド１１を駆動する。このとき、駆動信号を構成する駆動パルスを選択することによって、例えば、大滴、中滴、小滴など、大きさの異なるドットを打ち分けることができる。
【００５９】
Ｉ／Ｏ部５１３は、装置に装着されている各種のセンサ群５１５からの情報を取得し、プリンタの制御に必要な情報を抽出し、印刷制御部５０８やモータ制御部５１０、ＡＣバイアス供給部５１１の制御に使用する。センサ群５１５は、用紙の位置を検出するための光学センサや、機内の温度、湿度を監視するためのサーミスタ、帯電ベルトの電圧を監視するセンサ、カバーの開閉を検出するためのインターロックスイッチなどがあり、Ｉ／Ｏ部５１３は様々のセンサ情報を処理することができる。このＩ／Ｏ部５１３に入力されるセンサ群５１５には、前述したヘッドタンク１２の検知フィラ２０５を検知する検知センサ３０１、検知電極ピン２０８ａ、２０８ｂなどの信号も入力される。
【００６０】
また、この制御部５００は、時間を計測する計時手段５２０を備えている。
【００６１】
次に、駆動切替機構４００の一例ついて図１２ないし図１５を参照して説明する。図１２は同駆動切替機構の説明に供する模式的説明図、図１３は同駆動切替機構の具体的構成の斜視説明図、図１４は同じくカム部分を取り外した斜視説明図、図１５はカムとスライダ部材の斜視説明図である。また、図１２において、図中の破線Ｐは２つのギヤが常に噛み合っていることを、仮想線Ｑは２つのギヤが噛み合い及び離間する関係にあることを示している。
【００６２】
第１駆動モータ１０１によって回転される駆動軸１０４には、ギヤ１０４Ａ、１０４Ｂが設けられている。
【００６３】
一方、駆動切替機構４００の第２駆動モータ１０２はステッピングモータから構成されている。この第２駆動モータ１０２によって回転されるカム軸１３１には、カム１０３Ａ、１０３Ｂ（区別しないときは、「カム１０３」という。）が設けられている。カム１０３Ａ、１０３Ｂにはカム溝１０７が形成されている。
【００６４】
そして、カム１０３Ａ、１０３Ｂの各カム溝１０７に係合する係合部１０５ａを有し、カム１０３Ａ、１０３Ｂの回転に連動して矢示のスラスト方向（カム軸１３１の軸方向）に移動されるスライダ部材１０５Ａ〜１０５Ｄ（区別しないときは、「スライダ部材１０５」という。）を備えている。
【００６５】
なお、図１０では見易くするために、スライダ部材１０５の係合部１０５ａとカム１０３のカム溝１０７とは離して図示しているが、上述したとおり摺動自在に接触している。
【００６６】
スライダ部材１０５Ａには第１駆動モータ１０１によって回転するギヤ１０４Ａと噛み合う切替ギヤ１０６Ａが回転可能に設けられている。スライダ部材１０５Ｂには第１駆動モータ１０１によって回転するギヤ１０４Ｂと噛み合う切替ギヤ１０６Ｂが回転可能に設けられている。
【００６７】
また、スライダ部材１０５Ｃには第１駆動モータ１０１によって回転するギヤ１０４Ａと噛み合う切替ギヤ１０６Ｃが回転可能に設けられている。スライダ部材１０５Ｄには第１駆動モータ１０１によって回転するギヤ１０４Ｂと噛み合う切替ギヤ１０６Ｄが回転可能に設けられている。
【００６８】
そして、切替ギヤ１０６Ａは、スライダ部材１０５Ａの移動によって、例えば第１色用送液ポンプ６３１の駆動ギヤ１１２ａ及び第２色用送液ポンプ６３１の駆動ギヤ１１２ｂのいずれかと噛み合う位置といずれとも噛み合わない位置（離間する位置）との間で移動される。
【００６９】
切替ギヤ１０６Ｂは、スライダ部材１０５Ｂの移動によって、例えば第３色用送液ポンプ６３１の駆動ギヤ１１２ｃ及び第４色用送液ポンプ６３１の駆動ギヤ１１２ｄのいずれかと噛み合う位置といずれとも噛み合わない位置（離間する位置）との間で移動される。
【００７０】
切替ギヤ１０６Ｄは、スライダ部材１０５Ｄの移動によって、維持回復機構４１の吸引ポンプ４６の駆動ギヤ１１３と噛み合う位置と離間する位置との間で移動される。
【００７１】
切替ギヤ１０６Ｃは、スライダ部材１０５Ｃの移動によって、大気開放駆動ピン部材３０２を移動（進退）させる駆動ギヤ１１４と噛み合う位置と離間する位置との間で移動される。
【００７２】
なお、本実施形態では、切替ギヤ１０６Ａ、１０６Ｂは第１切替ギヤ、切替ギヤ１０６Ｃは同じく第２切替ギヤ、切替ギヤ１０６Ｄは同じく第３切替ギヤである。また、上記の４つの送液ポンプ６３１から供給する第１色ないし第４色は、例えば前述したブラック、シアン、マゼンタ、イエローのいずれかの色である。
【００７３】
また、図１３ないし図１５に示す具体的構成において、第１駆動モータ１０１の駆動力の伝達は、モータギヤ１４１、支軸１５２の回転可能に装着したギヤ１４２、駆動軸１０４に固定したギヤ１４３を経て駆動軸１０４に伝達される。
【００７４】
また、切替駆動源である第２駆動モータ１０２の駆動力は、モータギヤ１３２、ギヤ１３３及びカム軸１３１に固定したギヤ１３４を経てカム軸１３１に伝達される。また、スライダ部材１０５Ａ及び切替ギヤ１０６Ａとスライダ部材１０５Ｂ及び切替ギヤ１０６Ｂは支軸１５１に移動可能に支持されている。スライダ部材１０５Ｃ及び切替ギヤ１０６Ｃとスライダ部材１０５Ｄ及び切替ギヤ１０６Ｄは支軸１５２に移動可能に支持されている。
【００７５】
また、カム１０３には回転位置検出用の複数の突起部（センサフラグ）１６１が設けられ、センサフラグ１６１を図示しないセンサで検知して、カム位置を検出する。
【００７６】
このように構成したので、第１駆動モータ１０１を駆動することで、ギヤ１０４Ａ、１０４Ｂを介して第１切替ギヤ１０６Ａ、１０６Ｂ、第２切替ギヤ１０６Ｃ、第３切替ギヤ１０６Ｄに駆動力が伝達されて、各切替ギヤ１０６Ａ〜１０６Ｄは回転する。
【００７７】
ここで、第２駆動モータ１０２を回転駆動してカム１０３Ａ、１０３Ｂを回転させることによりスライダ部材１０５Ａ〜１０５Ｄが矢示方向に移動し、第１切替ギヤ１０６Ａ、１０６Ｂ、第２切替ギヤ１０６Ｃ、第３切替ギヤ１０６Ｄも矢示方向に移動する。
【００７８】
このとき、第１切替ギヤ１０６Ａを駆動ギヤ１１２ａと噛み合う位置に移動させたときには第１色用送液ポンプ６３１が駆動される。同様に、第１切替ギヤ１０６Ａを駆動ギヤ１１２ｂと噛み合う位置に移動させたときには第２色用送液ポンプ６３１が駆動される。
【００７９】
また、スライダ部材１０５Ｂを矢示方向に移動させることで、第１切替ギヤ１０６Ｂを駆動ギヤ１１２ｃと噛み合う位置に移動させたときには第３色用送液ポンプ６３１が駆動される。同様に、第１切替ギヤ１０６Ｂを駆動ギヤ１１２ｄと噛み合う位置に移動させたときには第４色用送液ポンプ６３１が駆動される。
【００８０】
また、スライダ部材１０５Ｄを矢示方向に移動させることで、第３切替ギヤ１０６Ｄを駆動ギヤ１１３と噛み合う位置に移動させたときには、維持回復機構４１の吸引ポンプ４６が駆動される。
【００８１】
また、スライダ部材１０５Ｃを矢示方向に移動させることで、第２切替ギヤ１０６Ｃを駆動ギヤ１１４と噛み合う位置に移動させたときには、大気開放駆動ピン部材３０２が進退駆動される。
【００８２】
この場合、第１駆動モータ１０１の回転方向がいずれであっても各送液ポンプ６３１に駆動力を伝達することができるので、送液ポンプ６３１を前述したように送液方向（正転駆動）及び逆送方向（逆転方向）のいずれの方向にも駆動することができる。
【００８３】
なお、カム１０３Ａ、１０３Ｂのカム溝１０７の位相を変えたり、カム１０３Ａ、１０３Ｂにスライダ部材１０５を別位相で複数連結することで、カム１０３Ａ、        １０３Ｂが回転する中で各切替ギヤ１０６Ａ〜１０６Ｄが順次切り替わり、あるいは、逆に同時に複数の駆動ギヤに連結されるようにすることもできる。
【００８４】
また、複数（この例では２つ）のカムを使用することで、１つのカムで移動させる切替ギヤの距離が短くなり、カムの径サイズを小さくすることができる。また、スラスト方向（軸方向）に切替ギヤを５つ以上並べてもスラスト方向以外のサイズを変更することなく対応することができる。
【００８５】
このように、複数の送液ポンプなどを駆動する第１駆動源と、第１駆動源の駆動力を複数の送液ポンプに選択的に伝達する駆動切替機構と、を備え、駆動切替機構は、第２駆動源と、第２駆動源で回転されるカムと、カムの回転に連動してスラスト方向に移動されるスライダ部材と、第１駆動源の駆動力が伝達され、スライダ部材によって複数の送液ポンプの駆動ギヤと噛み合う位置と離間する位置との間で移動される第１切替ギヤと、を有し、第１切替ギヤが移動することで、複数の送液ポンプに選択的に第１駆動源の駆動力が伝達される構成とし、ポンプの駆動源と駆動切替機構の動力とを分離したので、少ない駆動源で複数のポンプなどを、自由度を持って駆動できる。
【００８６】
言い換えれば、本実施形態における駆動切替機構を使用することで、第１駆動源の正転も逆転も他のポンプやユニットの駆動ギヤとは独立して伝達することができ、他のポンプなどの制約を受けることなく、単独の駆動源で駆動する構成と同様に自由に動作させることができる。
【００８７】
次に、この画像形成装置における駆動切替機構と送液ポンプ、維持回復機構及び大気開放駆動機構（手段）の配置について図１６ないし図１９を参照して説明する。図１６は同装置の機構部の概略側面説明図、図１７は同じく維持回復機構を除いた概略側面説明図、図１８は同じく駆動切替機構及び維持回復機構のカバー部分を除いた側面説明図、図１９はカートリッジホルダ及送液ポンプユニット及び駆動切替機構部分の斜視説明図である。
【００８８】
この画像形成装置においては、記録ヘッド１１及びヘッドタンク１２を搭載したキャリッジ４と、インクカートリッジ６２を装着するタンク装着部（カートリッジホルダ）６１と、送液ポンプユニット７６３と、維持回復機構４１とを備えている。
【００８９】
そして、被記録媒体の搬送方向に沿う方向で、カートリッジホルダ６１、送液ポンプユニット６３、キャリッジ４及び維持回復機構４１の順に（搬送方向下流側から上流側に向かって）配置されている。また、装置本体の高さ方向で見て、キャリッジ４は送液ポンプユニット６３及び維持回復機構４１より高い位置に配置されている。
【００９０】
また、駆動切替機構４００は、被記録媒体の搬送方向で、送液ポンプユニット６３と維持回復機構４１との間であって、装置本体の高さ方向で、キャリッジ４の下方に配置されている。
【００９１】
これにより、駆動切替機構４００は、キャリッジ４の移動方向（主走査方向）に対向する方向から見て、送液ポンプユニット６３、維持回復機構４１、キャリッジ４に囲まれた形で配置されており、装置本体のサイズを大型化しない効率的な配置としている。
【００９２】
ここで、駆動切替機構４００は、カートリッジホルダ６１及び送液ポンプユニット６３とともにユニット化され、駆動切替機構４００の駆動ギヤ１１２ａ〜１１２ｄによる駆動力はユニット内で送液ポンプユニット６３の送液ポンプ６３１に伝達される。
【００９３】
また、第１駆動モータ１０１は、駆動切替機構４００に対してカートリッジホルダ６１及び送液ポンプユニット６３と反対側（装置本体後ろ側）に配置される。この第１駆動モータ１０１のギヤ１０４Ａには回転量を検出するエンコーダユニット１７１が設けられている。
【００９４】
また、駆動切替機構４００の駆動ギヤ１１３による駆動力は維持回復機構４１の吸引ポンプ４６に駆動力伝達機構７００を介して伝達される。
【００９５】
また、駆動切替機構４００の駆動ギヤ１１４による駆動力は維持回復機構４１の下側を迂回する駆動力伝達機構３１０を介してヘッドタンク１２の大気開放機構２０７を開放させる大気開放駆動ピン部材３０２に伝達される。
【００９６】
これにより、駆動切替機構４００は、キャリッジ４の移動方向（主走査方向）に対向する方向から見て、送液ポンプユニット６３、維持回復機構４１、キャリッジ４に囲まれた形で配置されており、装置本体のサイズを大型化しない効率的な配置としている。
【００９７】
また、維持回復機構４１の吸引手段である吸引ポンプ４６と駆動切替機構４００とは、被記録媒体の搬送方向に沿う方向で、維持回復機構４１のキャップ４２を挟んで反対側、本実施形態では装置本体１０００の後側部分に配置される。
【００９８】
つまり、維持回復機構４１のキャップ４２などは記録ヘッド１１の維持回復を行うために記録ヘッド１１の直下に配置する必要がある。また、インクカートリッジ６２を装着するカートリッジ装着部（カートリッジホルダ６１）は、装置本体１０００の前面側からインクカートリッジ６２の着脱が可能なようにするため、装置本体１０００の前面側に配置する必要がある。
【００９９】
また、上述したように駆動切替機構４００を使用して駆動伝達を切り替えるようにした場合、駆動切替機構４００は送液ポンプユニット６３、維持回復機構４１、キャリッジ４に囲まれた形で配置されることが効率的である。
【０１００】
そのため、維持回復機構４１の吸引ポンプ４６を送液ポンプユニット６３と維持回復機構４１のキャップ４２との間に配置するスペースを確保することが困難になる。
【０１０１】
そこで、本実施形態では、維持回復機構４１の吸引ポンプ４６を駆動切替機構４００とを、キャップ４２を挟んで反対側に配置し、駆動力伝達機構７００を介して吸引ポンプ４６に駆動力を伝達することで、装置を大型化することなく、各部の駆動を集約することができて、コストダウンを図れる。
【０１０２】
また、駆動切替機構４００及び駆動切替機構４００を介して駆動される送液ポンプ６３１、維持回復機構４１の周辺は、キャリッジ４や廃液タンク７１、ガイド部材３などが配置され、ヘッドタンク１２の大気開放機構２０７を駆動する大気開放駆動（機構）を配置するスペースがない。
【０１０３】
そのため、維持回復機構４１を回避するように、リンク機構からなる駆動力伝達機構３１０を使用して大気開放機構２０７を作動させる構成としている。
【０１０４】
したがって、駆動切替機構４００から第１駆動モータ１０１の駆動力が伝達される複数の送液ポンプ６３１、維持回復機構４１の吸引ポンプ４６及び大気開放駆動ピン部材３０２のうち、大気開放駆動ピン部材３０２が最も駆動力伝達経路が長い位置に配置されている構成となる。これにより、省スペース化を図れる。
【０１０５】
次に、駆動切替機構４００から維持回復機構４１の吸引ポンプ４６及びキャップ等の移動機構への駆動力伝達について図２０ないし図２３を参照して説明する。図２０は維持回復機構の斜視説明図、図２１は図２０を裏側から見た要部斜視説明図、図２２は維持回復機構の側面説明図、図２３は維持回復機構の吸引ポンプ回りの要部斜視説明図である。
【０１０６】
維持回復機構４１は、図２０に示すように、前述したように、フレーム４０内にキャップ４２、ワイパ部材４３、空吐出受け４４が配置されている。キャップ４２、ワイパ部材４３の記録ヘッド１１に対する進退動作（この例では昇降動作）は、駆動切替機構４００から駆動力伝達機構７００及び吸引ポンプ４６を介して行われる。
【０１０７】
つまり、図２１に示すように、吸引ポンプ４６のポンプ軸４６ａからワンウエイ機構７０１及びギヤ列７０２を介してキャップ及びワイパ駆動ギヤ７０３に駆動力が伝達される。
【０１０８】
ワンウエイ機構７０１は、吸引ポンプ４６が正転駆動されるとき、即ち前述したように吸引ポンプ４６としては空転状態になるときにのみ、吸引ポンプ４６のポンプ軸４６ａの回転をキャップ及びワイパ駆動ギヤ７０３に伝達し、吸引ポンプ４６が逆転駆動されるとき、即ち前述したように吸引ポンプ４６が吸引を行うときは、吸引ポンプ４６のポンプ軸４６ａの回転をキャップ及びワイパ駆動ギヤ７０３に伝達しない。
【０１０９】
なお、キャップ及びワイパ駆動ギヤ７０３が回転することで、図示しないカムによってキャップ４２又はワイパ部材４３が移動される。
【０１１０】
駆動力伝達機構７００は、図２２及び図２３に示すように、駆動切替機構４００の切替ギヤ１０６Ｄから駆動力が伝達される駆動ギヤ１１３と、駆動ギヤ１１３に一体のプーリ７０４と吸引ポンプ４６のポンプ軸４６ａに設けたプーリ７０５との間にタイトナ７６１、中間プーリ７７１２を介して掛け回されたタイミングベルト７０６などを有している。
【０１１１】
このように、タイミングベルト７０６を介して駆動切替機構４００から吸引ポンプ４６までの駆動力伝達を行うことで、キャップ４２を挟んで反対側に配置された駆動切替機構４００と吸引ポンプ４６との間をギヤ列で駆動力を伝達する場合に比べて、動力ロスがていげんする。
【０１１２】
次に、駆動切替機構４００の切替ギヤ１０６Ｄと駆動力伝達機構７００の駆動ギヤ１１３との位置決め構造について図２４ないし図２７も参照して説明する。図２４は維持回復機構の要部側面説明図、図２５は同じくギヤピッチ規制部材回りの側面説明図、図２６は同じく斜視説明図、図２７は同じく模式的平面説明図である。
【０１１３】
維持回復機構４１と駆動切替機構４００はそれぞれユニット化されているので、駆動切替機構４００の切替ギヤ１０６Ｄと駆動力伝達機構７００の駆動ギヤ１１３との間で、部品公差のばらつきからピッチ間寸法が出ないことがある。
【０１１４】
そこで、本実施形態では、切替ギヤ１０６ｃと駆動ギヤ１１３との間のピッチを規制するギヤピッチ規制部材７６０を設けている。ギヤピッチ規制部材７６０は、例えば図２７に示すように、切替ギヤ１０６Ｄの軸１０６ａを受ける孔部７６０ａと駆動ギヤ１１３の軸部１１３ａを受ける凹部７６０ｂとを有している。
【０１１５】
そして、このギヤピッチ規制部材７６０は維持回復機構４１のフレーム４０に対して自由に揺れ動くことが可能に取付けられている。このギヤピッチ規制部材７６０は、維持回復機構４１を側板１Ｂに組み付けたときに揺れ動くことができなくなる。
【０１１６】
また、タイミングベルト７０６のテンションは、タイトナ７６１をスプリング７６２で押すことで一定のテンションにすることができる。これにより、ギヤピッチ規制部材７６０が揺れ動いた分のタイミングベルト７０６の張りと緩みを補正できるようにしている。
【０１１７】
次に、大気開放用の駆動力伝達機構３１０の詳細について図２８及び図２９も参照して説明する。図２８は機構部の要部側面説明図、図２９は大気開放用の駆動力伝達機構を説明する説明図である。
【０１１８】
駆動力伝達機構３１０は、切替ギヤ１０６Ｃに噛み合う駆動ギヤ１１４を一端部に一体的に設けたリンク部材３１１と、中間のリンク部材３１２と、大気開放駆動ピン部材３０２を押すための大気開放レバー３１３とを有するリンク機構である。
【０１１９】
リンク部材３１１は軸部材３１５で揺れ動くことが可能に支持されている。大気開放レバー３１３は軸部材３１８で揺れ動くことが可能支持され、ばね３１９によって大気開放駆動ピン部材３０２から離間する方向に勢いを付けられている。そして、リンク部材３１１とリンク部材３１２、リンク部材３１２と大気開放レバー３１３は、互いに揺れ動くことが可能に連結されている。
【０１２０】
大気開放レバー３１３の一端部は大気開放駆動ピン部材３０２の背面側に臨んで配置されている。ここで、大気開放駆動ピン部材３０２は、ブラケット３２０にラッチ機構部３２１を介して保持されている。ラッチ機構部３２１は、ピン部材３０２が大気開放レバー３１３で押される毎にピン部材３０２を進入及び後退させる機構である。なお、ラッチ機構部３２１はキャリッジ４側に設けることもできる。
【０１２１】
このように構成したので、図２９において、例えば駆動切替機構４００の切替ギヤ１０６Ｃが矢印方向に回転することで、駆動ギヤ１１４を含むリンク部材３１１が矢印方向に揺れ動き、リンク部材３１２を介して大気開放レバー３１３が矢印方向に揺れ動いて、大気開放駆動ピン部材３０２を押圧するので、ヘッドタンク１２の大気開放機構２０７が大気開放状態にされる。
【０１２２】
ここで、本実施形態では、シーケンス上、ヘッドタンク１２の大気開放機構２０７を大気開放状態にしたまま、送液ポンプ６３１や維持回復機構４１を動作させる必要がある。そこで、第１駆動モータ１０１を逆回転させることで、大気開放レバー３１３は図示の状態まで復帰するが、ラッチ機構によって大気開放駆動ピン部材３０２はそのままの状態に保持され、ヘッドタンク１２の大気開放機構２０７は大気開放状態に維持される。
【０１２３】
その後、再度大気開放レバー３１３が駆動されて矢印方向に揺れ動いて、大気開放駆動ピン部材３０２を押圧することで、ヘッドタンク１２の大気開放機構２０７が閉じられる。
【０１２４】
以上の実施形態における切替機構、送液ポンプ、維持回復機構、大気開放駆動手段の配置について図３０及び図３１を参照してまとめて説明する。図３０は同説明に供する模式的外観斜視説明図、図３１は同駆動切替機構回りの模式的説明図である。
【０１２５】
ここでは、装置本体１０００の前面側には、用紙を装填する給紙トレイ及び画像が形成された用紙をスタックする排紙トレイと一体化した給排紙トレイ１００４が着脱可能に装着されている。また、装置本体１０００の前面上部には、操作ボタンや表示器などを有する操作／表示部１００５を備えている。
【０１２６】
そして、被記録媒体の搬送方向に沿う方向で、カートリッジホルダ６１、送液ポンプ部６３、キャリッジ駆動機構１００８、維持回復機構４１の順に（搬送方向下流側から上流側に向かって）配置されている。また、装置本体１０００の高さ方向で見て、キャリッジ４及びキャリッジ駆動機構１００８は、送液ポンプ部６３及び維持回復機構４１より高い位置に配置されている。
【０１２７】
そして、駆動切替機構４００は、被記録媒体の搬送方向で、送液ポンプ部６３と維持回復機構４１との間であって、装置本体１０００の高さ方向で、キャリッジ駆動機構１００８の下方に配置されている。
【０１２８】
ここで、維持回復機構４１の吸引ポンプ４６は、駆動切替機構４００に対してキャップ４２を挟んで反対側に配置し、駆動力伝達機構７００を介して吸引ポンプ４６に駆動力を伝達している。
【０１２９】
また、駆動切替機構４００の駆動力は維持回復機構４１の下側を迂回する大気開放用駆動力伝達機構３１０を介してヘッドタンク１２の大気開放機構２０７を開放させる大気開放駆動ピン部材３０２に伝達される。
【０１３０】
つまり、前述したように、本実施形態において、駆動切替機構４００及び駆動切替機構４００を介して駆動される送液ポンプ部６３の送液ポンプ、維持回復機構４１の周辺は、キャリッジ４やガイド部材３などが配置され、ヘッドタンク１２の大気開放機構を駆動する大気開放駆動（機構）を配置するスペースがない。
【０１３１】
そのため、大気開放駆動手段（大気開放駆動ピン部材３０２）が最も駆動力伝達経路が長い位置に配置され、維持回復機構４１を回避するように、リンク機構からなる駆動力伝達機構３１０を使用して、大気開放駆動ピン部材３０２を駆動することで大気開放機構２０７を作動させる構成としている。
【０１３２】
このように、駆動切替機構から第１駆動源の駆動力が伝達される複数の送液ポンプ、維持回復機構の吸引手段及び大気開放駆動手段のうち、大気開放駆動手段が最も駆動力伝達経路が長い位置に配置され、記録ヘッドで画像を形成する被記録媒体の搬送方向に沿う方向で、搬送方向下流側から送液ポンプ、駆動切替機構及び維持回復機構の順に配置され、維持回復機構の吸引手段と駆動切替機構とは、被記録媒体の搬送方向に沿う方向で、維持回復機構のキャップを挟んで反対側に配置されている構成とすることで、装置の小型化を図ることができる。
【０１３３】
なお、本願において、「用紙」とは材質を紙に限定するものではなく、ＯＨＰ、布、ガラス、基板などを含み、インク滴、その他の液体などが付着可能なものの意味であり、被記録媒体、記録媒体、記録紙、記録用紙などと称されるものを含む。また、画像形成、記録、印字、印写、印刷はいずれも同義語とする。
【０１３４】
また、「画像形成装置」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。
【０１３５】
また、「インク」とは、特に限定しない限り、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。
【０１３６】
また、「画像」とは平面的なものに限らず、立体的に形成されたものに付与された画像、また立体自体を三次元的に造形して形成された像も含まれる。
【０１３７】
また、画像形成装置には、特に限定しない限り、シリアル型画像形成装置及びライン型画像形成装置のいずれも含まれる。
【符号の説明】
【０１３８】
４  キャリッジ
１１、１１ａ、１１ｂ  記録ヘッド（液体吐出ヘッド）
１２  ヘッドタンク
４１  維持回復機構
４６  吸引ポンプ
６２  インクカートリッジ（メインタンク）
１０１  第１駆動モータ（第１駆動源）
１０２  第２駆動モータ（第２駆動源：切替駆動源）
１０３、１０３Ａ、１０３Ｂ  カム
１０５  スライダ部材
１０６，１０６Ａ〜１０６Ｄ  切替ギヤ
１０７  カム溝
１０８  カム
１０９  バネ（弾性部材）
１１１  送液ポンプの駆動ギヤ
１１２、１１２ａ〜１１２ｄ  送液ポンプの駆動ギヤ
１１３  吸引ポンプの駆動ギヤ
１１４  大気開放駆動ピン部材の駆動ギヤ
４００  駆動切替機構
５００  制御部
６００  ホスト（情報処理装置）
６３１  送液ポンプ
７００  駆動力伝達機構
【図１】
2013136230.tif 000003
【図２】
2013136230.tif 000004
【図３】
2013136230.tif 000005
【図４】
2013136230.tif 000006
【図５】
2013136230.tif 000007
【図６】
2013136230.tif 000008
【図７】
2013136230.tif 000009
【図８】
2013136230.tif 000010
【図９】
2013136230.tif 000011
【図１０】
2013136230.tif 000012
【図１１】
2013136230.tif 000013
【図１２】
2013136230.tif 000014
【図１３】
2013136230.tif 000015
【図１４】
2013136230.tif 000016
【図１５】
2013136230.tif 000017
【図１６】
2013136230.tif 000018
【図１７】
2013136230.tif 000019
【図１８】
2013136230.tif 000020
【図１９】
2013136230.tif 000021
【図２０】
2013136230.tif 000022
【図２１】
2013136230.tif 000023
【図２２】
2013136230.tif 000024
【図２３】
2013136230.tif 000025
【図２４】
2013136230.tif 000026
【図２５】
2013136230.tif 000027
【図２６】
2013136230.tif 000028
【図２７】
2013136230.tif 000029
【図２８】
2013136230.tif 000030
【図２９】
2013136230.tif 000031
【図３０】
2013136230.tif 000032
【図３１】
2013136230.tif 000033